【手続補正書】
【提出日】平成18年7月11日(2006.7.11)
【手続補正１】
【補正対象書類名】特許請求の範囲
【補正対象項目名】全文
【補正方法】変更
【補正の内容】
【特許請求の範囲】
【請求項１】
直接基礎部形成領域の所定位置に所定の深さに掘削した深基礎施工孔内の床掘面上に設けられる深基礎コンクリート部材と、この深基礎コンクリート部材に基端部を一体化されるとともに取付部を主面から突出させて設けられた固定部材とを有する深基礎支持床盤体と、
上記深基礎支持床盤体に一体化されて上記深基礎施工孔に埋設され、上端部位が上記直接基礎部形成領域の施工面に突出される補強杭体とから構成され、
上記補強杭体が、
下端部を上記固定部材の取付部に固定されることにより上記深基礎コンクリート部材の主面上に立設される鉄骨材と、
上記鉄骨材を、その上端部位を上端開口から突出させて内部空間部に収納して上記深基礎コンクリート部材の主面上に立設される筒杭部材と、
上記筒杭部材の内部空間部にコンクリートを充填して形成されて上記鉄骨材を保持する保持コンクリート部とから構成され、
上記深基礎支持床盤体上に、上記筒杭部材と上記鉄骨材と上記保持コンクリート部とからなる３層構造体を構成して直接基礎を補強することを特徴とする基礎補強装置。
【請求項２】
直接基礎部形成領域に掘削した深基礎施工孔内に埋設され、深基礎コンクリート部材に固定部材を一体化した深基礎支持床盤体と、筒杭部材の内部に保持コンクリート部によって鉄骨材を保持した３層構造を呈し上記深基礎支持床盤体に立設した補強杭体とからなる基礎補強部に対して、上記直接基礎部形成領域の施工面から突出される上記補強杭体の上端部位に建物の土台を支持する直接基礎部を一体化してなる基礎の施工方法であり、
上記基礎補強部の施工工程が、
上記直接基礎部形成領域の所定位置に、所定の深さを有する深基礎施工孔を掘削する深基礎施工孔掘削工程と、
上記各深基礎施工孔の床掘面に対して、整地や基礎石の敷詰め或いは転圧処理を施して根固めして床掘部を形成する床掘部形成工程と、
プレキャスト品の上記深基礎支持床盤体を上記床掘部上に設置する深基礎支持床盤体設置工程と、
上記深基礎支持床盤体に対して、上記固定部材に下端部を固定することにより上端部が上記直接基礎部形成領域の施工面に突出して上記深基礎コンクリート部材の主面上に上記鉄骨材を立設する鉄骨材立設工程と、
上端開口から上端部位を突出させて上記鉄骨材を内部空間部に収納して上記深基礎コンクリート部上に筒杭部材を据え付ける筒杭部材据付け工程と、
上記筒杭部材と上記鉄骨材の上端部位を露出させて上記深基礎施工孔の埋め戻しを行う深基礎施工孔埋戻し工程とを有し、
上記直接基礎部形成領域に設置した直接基礎コンクリート型枠のキャビティ内に打設して上記直接基礎を形成するコンクリートが、上端開口を介して上記筒杭部材の内部空間部に充填され、直接基礎と一体化された上記鉄骨材を保持する保持コンクリート部を形成することを特徴とする基礎施工方法。
【請求項３】
直接基礎部形成領域に掘削した深基礎施工孔内に埋設され、深基礎コンクリート部材に固定部材を一体化した深基礎支持床盤体と、筒杭部材の内部に保持コンクリート部によって鉄骨材を保持した３層構造を呈し上記深基礎支持床盤体に立設した補強杭体とからなる基礎補強部に対して、上記直接基礎部形成領域の施工面から突出される上記補強杭体の上端部位に建物の土台を支持する直接基礎部を一体化してなる基礎の施工方法であり、
上記基礎補強部の施工工程が、
上記直接基礎部形成領域の所定位置に、所定の深さを有する深基礎施工孔を掘削する深基礎施工孔掘削工程と、
上記各深基礎施工孔の床掘面に対して、整地や基礎石の敷詰め或いは転圧処理を施して根固めして床掘部を形成する床掘部形成工程と、
上記床掘部上に、キャビティ内に多数本の縦筋と横筋とを配筋する鉄筋工程を施すとともに、鉄筋の一部に上記固定部材を固定する工程とを有して深基礎コンクリート型枠を設置する深基礎コンクリート型枠設置工程と、
上記深基礎コンクリート型枠のキャビティ内に、下端部を上記固定部材に固定することによって上記鉄骨材を立設する鉄骨材立設工程と、
上記深基礎コンクリート型枠のキャビティ内にコンクリートを打設し、所定の養生期間を経て上記深基礎コンクリート型枠を脱型することによって深基礎コンクリート部材を形成する深基礎コンクリート部材形成工程と、
上端開口から上端部位を突出させて上記鉄骨材を内部空間部に収納して上記深基礎コンクリート部材の主面上に筒杭部材を立設して据え付ける筒杭部材据付け工程と、
上記筒杭部材と上記鉄骨材の上端部位を露出させて上記深基礎施工孔の埋め戻しを行う深基礎施工孔埋戻し工程とを有し、
上記直接基礎部形成領域に設置した直接基礎コンクリート型枠のキャビティ内に打設して上記直接基礎を形成するコンクリートが、上端開口を介して上記筒杭部材の内部空間部に充填され、直接基礎と一体化された上記鉄骨材を保持する保持コンクリート部を形成することを特徴とする基礎施工方法。
【手続補正２】
【補正対象書類名】明細書
【補正対象項目名】０００５
【補正方法】変更
【補正の内容】
【０００５】
一方、一戸建て住宅等においては、例えば傾斜地や軟弱地盤のために地盤改良が必要な場所に建築される場合に、上述した布基礎やベタ基礎では所望の高さを確保することが困難であることから特殊な基礎施工が必要となる。例えば特許文献１には、外周面に複数のピン形或いはフィン形突起が設けられ必要箇所に埋め込まれて固定される基礎支柱と、この基礎支柱の下端部位が埋め込まれるソルトセメントコラムからなる一種の杭基礎が開示されている。
【手続補正３】
【補正対象書類名】明細書
【補正対象項目名】０００７
【補正方法】変更
【補正の内容】
【０００７】
ところで、住宅等においては、特に軟弱地盤や河川近辺に建築されている場合に、流れ込んできた濁流が基礎に突き当たって渦巻き、基礎形成地盤を流失させることで崩壊するといった事象が発生することがある。基礎形成地盤は、地表面から１ｍの箇所にまで損傷が及んで基礎を損壊させることで、強固に建築された。
【手続補正４】
【補正対象書類名】明細書
【補正対象項目名】０００８
【補正方法】変更
【補正の内容】
【０００８】
したがって、住宅等においては、特許文献１に開示されるような地中深くまで打ち込まれる杭基礎を用いた基礎を形成することによって、上述した基礎形成地盤の損壊に対して極めて有効な対応が図られるようになる。杭基礎工法は、従来高層建築物の基礎形成に採用されているが、杭を打ち込んだり埋設するために大型の重機や場所を必要とし、大規模工事となる。杭基礎工法は、杭を打ち込む際に大きな騒音や振動を発生させ、家屋が建てこんだ市街地の一般住宅に適用した場合に隣接家屋等への影響が極めて大きい。また、杭基礎工法は、比較的コストも高く工期も長くなってしまうことから、従来では傾斜地等の特殊な場所を除いてもっぱら高層建築用の基礎施工にのみ採用されていた。
【手続補正５】
【補正対象書類名】明細書
【補正対象項目名】００２５
【補正方法】変更
【補正の内容】
【００２５】
以下、本発明の実施の形態について、図面を参照して詳細に説明する。実施の形態として示す基礎１は、基礎形成領域２に形成されて木造家屋等の土台柱３を支える布基礎５や全体を補強するベタ基礎６からなる直接基礎４と、基礎形成領域２の所定位置に掘削された深基礎施工孔７内に埋設された深基礎支持床盤体９と補強杭体１０とからなり直接基礎４を補強する多数の基礎補強部８とから構成される。基礎１は、基礎形成領域２内に、例えば柱等を立設する位置に対応して直接基礎４と一体化された多数個の基礎補強部８が形成され、地震や洪水等に対して極めて耐性の大きな構造体として構成される。基礎１は、家屋が建てこんだ市街地等の狭い敷地内であっても、近隣の建物等に影響を及ぼすことなく、廉価な費用で形成することが可能である。
【手続補正６】
【補正対象書類名】明細書
【補正対象項目名】００２７
【補正方法】変更
【補正の内容】
【００２７】
各基礎補強部８は、図１及び図２に示すように、深基礎支持床盤体９が基礎形成領域２の所定の位置にそれぞれ掘削された深基礎施工孔７内に設置される深基礎コンクリート部材１３と、この深基礎コンクリート部材１３に一体化して設けられている固定用鋼板１４とから構成される。各基礎補強部８は、深基礎コンクリート部材１３が、深基礎施工孔７の床掘面に形成した床掘部１５上に設置される。各基礎補強部８は、補強杭体１０が、深基礎コンクリート部材１３上に立設されるＨ鋼材やＩ鋼材からなる鉄骨材１６と、円筒材や角筒材からなる筒杭部材１７と、この筒杭部材１７の内部空間部１６ａ内に形成される保持コンクリート部１８とからなる３層構造体によって構成される。